(57)【要約】【課題】遊技盤取付枠の施錠を確実なものとなし、遊技盤取付枠が無用に開かれないようにして不正行為を防止できるようにした弾球遊技機の施錠装置を提供する。【解決手段】外枠１と、前記外枠１の前面に一側を軸着して開閉自在に取着される遊技盤取付枠３とを備え、外枠１の開放側の内側面１ａに係止突部２２を設け、遊技盤取付枠３の開放側の外側面に遊技盤取付枠３の開閉方向と直交する面内で回動しかつ遊技盤取付枠３の施錠方向へ付勢されて係止突部２２に係合し得る施錠部材３２を設け、係止突部２２と施錠部材３２との係合面は鉛直でありかつ外枠１の開放側の内側面１ａとほぼ直交しており、施錠部材３２が回動して係止突部２２に係止することにより遊技盤取付枠３を施錠するようにした。【選択図】図１１
2006187428.tif 000002
【特許請求の範囲】
【請求項１】
外枠と、前記外枠の前面に一側を軸着して開閉自在に取着される遊技盤取付枠とを備え、前記外枠の開放側の内側面に係止突部を設け、前記遊技盤取付枠の開放側の外側面に前記遊技盤取付枠の開閉方向と直交する面内で回動しかつ前記遊技盤取付枠の施錠方向へ付勢されて前記係止突部に係合し得る施錠部材を設け、前記係止突部と前記施錠部材との係合面は鉛直でありかつ前記外枠の開放側の内側面とほぼ直交しており、前記施錠部材が回動して前記係止突部に係合することにより前記遊技盤取付枠を施錠するようにしたことを特徴とする弾球遊技機の施錠装置。
【請求項２】
外枠と、前記外枠の前面に一側を軸着して開閉自在に取着される遊技盤取付枠とを備え、前記外枠の開放側の内側面に係止突部を設け、前記遊技盤取付枠の開放側の外側面に前記遊技盤取付枠の開閉方向と直交する面内で回動しかつ前記遊技盤取付枠の施錠方向へ付勢される施錠部材を設け、前記係止突部と前記施錠部材との係合面は鉛直でありかつ前記外枠の開放側の内側面とほぼ直交しており、前記係止突部の前面に前後方向の幅が前記遊技盤取付枠の中央に向かうに従い漸次薄くなるように後方へ傾く後傾斜面を成形し、前記施錠部材の後面に前後方向の幅が前記遊技盤取付枠の外側方へ向かうに従い漸次薄くなるように前方へ傾く前傾斜面を成形し、前記施錠部材の前傾斜面が前記係止突部の後傾斜面に当接し擦れ合うようにして該施錠部材が回動しつつ該係止突部に係合することにより前記遊技盤取付枠を施錠するようにしたことを特徴とする弾球遊技機の施錠装置。
【発明の詳細な説明】
【技術分野】
【０００１】
本発明は、パチンコ遊技機等の弾球遊技機における遊技盤取付枠及び前面枠を施錠又は開錠するための施錠装置に関するものである。
【背景技術】
【０００２】
本出願人は、弾球遊技機の一種であるパチンコ遊技機について次のような施錠装置を出願し、既に公開されている。このパチンコ遊技機の施錠装置は、木枠により成形された外枠の開放側内側面の上下位置にそれぞれ係止突部としての金属製の係止金具がビス止めにより取付けられ、一方、遊技盤取付枠の施錠装置には上下方向へ摺動自在に設けられる施錠杆が備えられる。この施錠杆には、前記上部の係止金具に下方から係脱する上フック部が設けられた上施錠片と、前記下部の係止金具に下方から係脱する下フック部が設けられた下施錠片がそれぞれ設けられ、これら上・下施錠片はいずれもスプリングにより上方へ付勢されている。そして、上施錠片の上フック部が外枠の下部の係止金具に下方から係合し、下施錠片の下フック部が外枠の下部の係止金具に下方から係合して遊技盤取付枠を施錠するようにしている（例えば、特許文献１参照。）。
【特許文献１】特開２００１−２３９０４１号公報（第３−４頁段落００１６−００１８、図４、図７、図１１、図１２）
【発明の開示】
【発明が解決しようとする課題】
【０００３】
しかしながら、前記特許文献１の施錠装置にあっては、上・下フック部の内側面が後方へ傾斜していることもあり、例えば遊技盤取付枠の開放側を無理に強く前側へ引っ張った場合、上・下部の係止金具から逆に上・下施錠片が滑って下降しそれらの係合が解かれ、遊技盤取付枠が前方へ無用に開いてしまうといった改良点があった。このように遊技盤取付枠が無用に開いてしまうと、遊技中に不正行為が行なわれてしまうおそれがある。これは、上部・下部の係止金具に対し、各上・下施錠片が鉛直面内でありかつ遊技盤取付枠の開閉方向と平行な面内で前後方向へ移動しつつ上下動することに起因する。
【０００４】
そこで、本発明は上記改良点に鑑みてなされたもので、遊技盤取付枠の施錠を確実なものとなし、遊技盤取付枠が無用に開かれないようにして不正行為を防止できるようにした弾球遊技機の施錠装置を提供することを目的とするものである。
【課題を解決するための手段】
【０００５】
かかる目的を達成するため本発明の弾球遊技機の施錠装置は、外枠と、前記外枠の前面に一側を軸着して開閉自在に取着される遊技盤取付枠とを備え、前記外枠の開放側の内側面に係止突部を設け、前記遊技盤取付枠の開放側の外側面に前記遊技盤取付枠の開閉方向と直交する面内で回動しかつ前記遊技盤取付枠の施錠方向へ付勢されて前記係止突部に係合し得る施錠部材を設け、前記係止突部と前記施錠部材との係合面は鉛直でありかつ前記外枠の開放側の内側面とほぼ直交しており、前記施錠部材が回動して前記係止突部に係合することにより前記遊技盤取付枠を施錠するようにした構成からなる。
【０００６】
また、本発明の弾球遊技機の施錠装置は、具体的には、外枠と、前記外枠の前面に一側を軸着して開閉自在に取着される遊技盤取付枠とを備え、前記外枠の開放側の内側面に係止突部を設け、前記遊技盤取付枠の開放側の外側面に前記遊技盤取付枠の開閉方向と直交する面内で回動しかつ前記遊技盤取付枠の施錠方向へ付勢される施錠部材を設け、前記係止突部と前記施錠部材との係合面は鉛直でありかつ前記外枠の開放側の内側面とほぼ直交しており、前記係止突部の前面に前後方向の幅が前記遊技盤取付枠の中央に向かうに従い漸次薄くなるように後方へ傾く後傾斜面を成形し、前記施錠部材の後面に前後方向の幅が前記遊技盤取付枠の外側方へ向かうに従い漸次薄くなるように前方へ傾く前傾斜面を成形し、前記施錠部材の前傾斜面が前記係止突部の後傾斜面に当接し擦れ合うようにして該施錠部材が回動しつつ該係止突部に係合することにより前記遊技盤取付枠を施錠するようにした構成からなる。
【０００７】
これら何れの場合も、前記外枠は金属製の角パイプにより成形され、係止突部は前記角パイプと共に一体成形により成形されることが好ましい。
【発明の効果】
【０００８】
請求項１に係る弾球遊技機の施錠装置は、係止突部と施錠部材との係合面が鉛直でありかつ外枠の開放側の内側面とほぼ直交しており、しかも、遊技板取付枠を前方へ無理に強く開こうとしてもその方向は施錠部材の開錠方向とは直交し異なるため、施錠部材に開錠しようとする力が働くことはなく施錠部材が係止突部に係合されたままとなる。これにより、不正行為が防止されるという効果がある。
【０００９】
また、請求項２に係る弾球遊技機の施錠装置も前記と同様な効果を有する。更に、この施錠装置は、係止突部の前面に前後方向の幅が遊技盤取付枠の中央に向かうに従い漸次薄くなるように後方へ傾く後傾斜面を成形し、施錠部材の後面に前後方向の幅が遊技盤取付枠の外側方へ向かうに従い漸次薄くなるように前方へ傾く前傾斜面を成形してなる。よって、施錠部材の前傾斜面が係止突部の後傾斜面に当接し擦れ合うようにして施錠部材が回動しつつ係止突部に係合することになり、その係合が極めてスムーズに行なえるという効果がある。
【００１０】
しかも、外枠を金属板により成形すると共に前記係止突部も外枠と共に一体成型により成形するようにすれば、部品点数や組立工数も削減でき製作コストの低廉が図られるという効果もある。
【発明を実施するための最良の形態】
【００１１】
以下、本発明に係る弾球遊技機としてのパチンコ遊技機の実施の形態を図面に基き説明する。図１は本発明が適用されるパチンコ遊技機の正面図、図２は同パチンコ遊技機の背面図、図３は外枠の一部の斜視図である。
【００１２】
パチンコ遊技機Ｐは、縦長方形枠状に成形される外枠１と、該外枠１の前面に配置され一側のヒンジ機構２によって開閉自在に取着される遊技盤取付枠３と、同じく前記ヒンジ機構２によって同軸上に軸着される前面枠４とを備えている。遊技盤取付枠３に遊技盤５が配設される。遊技盤５の前面にはガイドレール６により囲まれる遊技部５ａが成形され、該遊技部５ａに例えば可変表示装置７、始動入賞口８、入賞装置９といった盤面部品が装着されている。
【００１３】
また、前記前面枠４は、遊技盤取付枠３の前面全体を覆う大きさを有し合成樹脂材からなり、その前面を斬新なデザインとしている。前面枠４のほぼ中央に遊技盤５の遊技部５ａが臨む窓開口１０が開設され、該窓開口１０に二枚の透明板１１ａ，１１ａを前後に配置した複層の透明板保持枠１１が装着される。前面枠４の前面一側に打球発射部（図示せず。）へ供給する弾球であるパチンコ球を貯留するための球皿１２が装着され、その上方に球皿１２と連通しパチンコ遊技機Ｐ，Ｐ間に介在される所謂台間サンド（図示せず。）からの貸し球を受け入れるための副球皿１３が装着される。
【００１４】
更に、前記前面枠４の前面他側には打球の打球力を調節する操作ハンドル１４が設けられる。また、その上方に開設された貫通孔１５にシリンダー錠１６の鍵穴部１７が臨んでおり、常態では外枠１に遊技盤取付枠３が施錠されかつ遊技盤取付枠３に前面枠４が施錠されている。そして、鍵穴部１７に後記する鍵６０を差し込み、該鍵６０を一方向（図１では右側）へ回動することにより遊技盤取付枠３が開錠され、また、他方向（図１では左側）へ回動することにより前面枠４が開錠されるようになっている。
【００１５】
一方、前記遊技盤取付枠３の裏面には、その上部に球タンク１９が配設され、その下方に球タンク１９からのパチンコ球を下流側の球払出装置２０へ供給するためのタンクレール２１が配設されている。球払出装置２０から払い出されたパチンコ球は前記球皿１２に払い出される。
【００１６】
前記外枠１は、アルミニウム製であって断面長方形状の角パイプからなり押し出し成形され、開放側の内側面１ａに係止突部としての縦長の係止突条２２が一体成型により成形されている。該係止突条２２は平断面直角三角形をなし、その前面は前後方向の幅が遊技盤取付枠３の中央に向かうに従い漸次薄くなるように後方へ傾く後傾斜面２２ａとして成形され、係合面となる後面２２ｂは鉛直であって前記内側面１ａと直交する。すなわち、遊技板取付枠３の開閉方向と直交する面として成形される。また、図４に示すように遊技盤取付枠３の下部前面のほぼ中央部に、前面枠４の前方への撓みを防止するための係止杆２３が前方へ突設されている。該係止杆２３の先端部２３ａは円錐形に成形され、その後方下面に横断状の凹溝８７が凹設される。
【００１７】
図４に示すように遊技盤取付枠３における開放側の縦枠３ａの外側面に遊技盤取付枠の施錠装置２４が組み付けられ、前面枠４の開放側の裏面に前面枠の施錠装置２５が組み付けられている。これら施錠装置２４，２５は金属製であって、前後方向で互いに対向位置することになる。
【００１８】
遊技盤取付枠の施錠装置２４は、図４乃至図７に示すように遊技盤取付枠３の開放側の縦枠３ａの外側面に固着される鉛直固定プレート２６と、該鉛直固定プレート２６の外側面に重合して上下方向へ自在に摺動する第１施錠杆２７と、該第１施錠杆２７の外側面に重合して上下方向へ自在に摺動する第２施錠杆２８とからなる。
【００１９】
鉛直固定プレート２６は、縦長に成形され前端縁の上下方向に沿って外側へ突出する段条部２９が設けられる。また、後端縁の上部と中央部と下部にそれぞれ後方へ突出する側面逆Ｌ字形の取付片３０が一体に設けられる。各取付片３０の内側面に平面コ字形の支持部３１が固着され、各支持部３１の下端部に遊技盤取付枠３を施錠するための施錠部材３２が軸着される。
【００２０】
更に、施錠部材３２を図７に基き詳しく説明すると、施錠部材３２は正面略Ｌ字状の前板部３２ａ、後板部３２ｂ及びこれら先端部を連結する側板部３２ｃとから平面コ字状に屈曲して成形される。そして、前・後板部３２ａ，３２ｂの上端部に開設された前後方向のピン孔３３，３３を支持部３１の下端部に開設された同じく前後方向のピン孔３４，３４と合致させた状態で、これらピン孔３３，３４にピン３５が挿通される。これにより、施錠部材３２がピン３５を中心として横方向、すなわち遊技盤取付枠３の開閉方向とは直交する方向に自在に回動することになる。また、前記側板部３２ｃの外側面、すなわち施錠部材３２の後面は、施錠部材３２の前後方向の幅が前記遊技盤取付枠３の外側方へ向かうに従い漸次薄くなるように前方へ傾く前傾斜面３６として成形されている。この前傾斜面３６が、前記係止突条２２に施錠部材３２が回動して係合する際に、係止突条２２の傾斜する前面である後傾斜面２２ａに擦れ合うことになる。
【００２１】
また、前記支持部３１内でピン３５にねじりバネ３７が巻装され、その上端が支持部３１の内側面に当接し、他端が施錠部材３２の後板部３２ｂ内側に設けられた切欠３８に係止されている。これにより、施錠部材３２は常に遊技盤取付枠３の左右方向の外側へ付勢され取付板３０の下端縁に衝止し、側板部３２ｃが鉛直固定プレート２６の外側へ突出してほぼ水平に位置した状態で停止している。このとき、施錠部材３２の係合面となる前面は鉛直であって前記外枠１の内側面と直交するように配置される。前板部３２ａの下側縁に沿って施錠部材３２を回動動作させるための受板３９が突設され、また、前・後板部３２ａ，３２ｂの下縁部間に施錠部材３２を頑丈なものとするための補強板４０が設けられている。
【００２２】
第１施錠杆２７も縦長に成形されると共に平面Ｌ字状に屈曲されている。そして、第１施錠杆２７の所定位置に縦長のガイド孔４１が開設されると共に該ガイド孔４１に鉛直固定プレート２６の外側面に固着されるガイドピン４２が遊嵌され、第１施錠杆２７がガイド孔４１の縦の長さ寸法間で上下方向へ自在に摺動される。また、第１施錠杆２７の下部に設けられたバネ掛け部４３とこれより上方に位置して鉛直固定プレート２６に設けられたバネ掛け部４４との間に引張りスプリング４５が張架され、第１施錠杆２７を常に上方向へ付勢している。
【００２３】
第１施錠杆２７における前端縁の下部に、シリンダー錠１６により該第１施錠杆２７をその付勢に抗して下方向へ摺動させるための引下杆４６が設けられ、この引下杆４６は段条部２９の所定位置に成形された切除部２９ａから前方へほぼ水平に突出している。また、第１施錠杆２７の後端縁の上部と中央部と下部に、前記各施錠部材３２にほぼ対応位置して遊技盤取付枠３の左右方向の内側へ屈曲する押下突片４７が突設される。各押下突片４７は、その横幅が下方へ進むに従い漸次狭くなるように下側縁が傾斜しており、鉛直固定プレート２６の後端縁と各取付板３０との隙間に介入している。そして、第１施錠杆２７の下方向への摺動動作に伴い各押下突片４７が受板３９を押し、各施錠部材３２を開錠方向へ回動させることができるようになっている。また、第１施錠杆２７における後端縁の中央寄りに、親指など手動で第１施錠杆２７を下方向へ摺動させるための押圧片４８が設けられている。
【００２４】
第２施錠杆２８も縦長に成形されており、所定位置に縦長のガイド孔４９が開設されると共に該ガイド孔４９に鉛直固定プレート２６の外側面に固着される前記ガイドピン４２が遊嵌され、第２施錠杆２８がガイド孔４９の縦の長さ寸法間で上下方向へ自在に摺動される。また、第２施錠杆２８の上部に設けられたバネ掛け部５０とこれより下方に位置して鉛直固定プレート２６に設けられたバネ掛け部５１との間に引張りスプリング５２が張架され、第２施錠杆２８を常に下方向へ付勢している。
【００２５】
第２施錠杆２８の前端縁の上部と中央部と下部とにそれぞれ前記段条部２９の切除部２９ａから前方へほぼ水平に突出するロック片５３が設けられる。各ロック片５３は、前面枠４を遊技盤取付枠３の前面に施錠するためのものであり、下面に係止段部５４が凹設されている。また、第２施錠杆２８の前端縁の中央寄りに、シリンダー錠１６により該第２施錠杆２８を付勢に抗して上方向へ摺動させるための引上杆５５が設けられる。この引上杆５５も同じく段条部２９の切除部２９ａから前方へほぼ水平に突出している。第２施錠杆２８における後端縁の上部寄りに、親指など手動で第２施錠杆２８を上方向へ摺動させるための引上片６４が設けられている。
【００２６】
次に、前面枠の施錠装置２５について説明する。前面枠の施錠装置２５は、図８乃至図１０に示すように前面枠４の裏面の開放側に固着される縦長の鉛直固定プレート５６を備える。そして、該鉛直固定プレート５６における前面枠４の左右方向の内側に、上部と中央部と下部とに位置してそれぞれ後方へ突出する平面コ字形の屈曲部５７が設けられ、各屈曲部５７の後面に前記各ロック片５３に対応位置して該各ロック片５３が係止し得る係止孔５８が開設されている。
【００２７】
前記鉛直固定プレート５６の下部内側には張出板部５９が一体に張設され、該張出板部５９にシリンダー錠１６が固着される。シリンダー錠１６はその錠軸１６ａが後方へ突設されており、この錠軸１６ａの先端にカム板６１が固着されている。該カム板６１は、鍵６０をシリンダー錠１６の鍵穴部１７に挿通して右方向又は左方向へ回動させることにより、前面枠４の後面と平行な面内で上下に回動する。
【００２８】
前記鉛直固定プレート５６の下部外寄りには、カム板６１を挟むようにして、その上方と下方に上部可動部材６２と下部可動部材６３が重合して一直線上に配置される。上部可動部材６２の内側縁に前記張出板部５９に重合する枝片６２ａが延設されている。また、上部可動部材６２と枝片６２ａとの所定位置に縦長のガイド孔６５が開設され、該ガイド孔６５に鉛直固定プレート５６に固着されるガイドピン６６が遊嵌され、ガイド孔６５の縦の長さ寸法間で上部可動部材６２が上下方向へ自在に摺動するようになっている。また、上部可動部材６２の上端部に設けられるバネ掛け部６７とこれより下方に位置して鉛直固定プレート５６に設けられるバネ掛け部６８との間に引張りスプリング６９が張設される。これにより、上部可動部材６２を常に下方向へ付勢している。上部可動部材６２の下端縁にはカム板６１が上方向に回動して当接し、該上部可動部材６２を付勢に抗して押し上げるための上押片７０が設けられる。前記枝片６２ａの上端部に第２施錠杆２８の引上杆５５の先端部が係合する二股状の作動枠７１が設けられ、下端部に張出板部５９に開設される縦長の透孔７２を介して前方向へ屈曲する突片７３が設けられる。
【００２９】
下部可動部材６３も所定位置に縦長のガイド孔７４が開設されると共に該ガイド孔７４に鉛直固定プレート５６に固着されるガイドピン７５が遊嵌され、ガイド孔７４の縦の長さ寸法間で下部可動部材６３が上下方向へ自在に摺動するようになっている。また、下部可動部材６３の下端部に設けられるバネ掛け部７６とこれより上方に位置して鉛直固定プレート５６に設けられるバネ掛け部７７との間に引張りスプリング７８が張設されている。これにより、下部可動部材６３を常に上方向へ付勢している。また、下部可動部材６３の上端部に後方へ水平に突出する作動片７９が設けられる。この作動片７９は、前記第１施錠杆２７の引下杆４６の真上に位置し、下部可動部材６３の下降動作と共に引下杆４６を押し下げ第１施錠杆２７を下方へ摺動させるようになっている。下部可動部材６３の上端縁には、カム板６１が下方向に回動して当接し該下部可動部材６３を付勢に抗して押し下げるための下押片８０が設けられる。
【００３０】
前面枠４裏面の下部に、その一側からほぼ中央部に延びる撓み防止片８１が配置される。この撓み防止片８１は、ほぼ中央に開設される軸孔８２に前面枠４の裏面に固着した軸ピン８３が挿通され、前面枠４の裏面と平行な面内で前記軸ピン８３を中心とし自在に揺動するようになっている。また、軸ピン８３より内側であって撓み防止片８１に設けられたバネ掛け部８４と前面枠４裏面に設けられたバネ掛け部８５との間に引張りスプリング８６が張設され、撓み防止片８１の他側（前面枠４の中央寄り）を常に上方へ跳ね上げるように付勢している。撓み防止片８１の一端（外側）は前記張出板部５９から前方へ突出する突片７３の真上に位置し、他端にはその上縁に係合凹部８８が設けられる。該係合凹部８８は、遊技盤取付枠３の前面下部に突設された係止杆２３の凹溝８７に係合するようになっている。常態では、係合凹部８８が下方から凹溝８７に係合している。
【００３１】
本発明に係るパチンコ遊技機の施錠装置は上記構成からなり、次に、その使用方法について説明する。図１１に示すように常態では、外枠１の開放側の内側面に設けられた係止突条２２の後面２２ｂに遊技盤取付枠の施錠装置２４における各施錠部材３２が係合して、遊技盤取付枠３が外枠１に施錠されている。また、図１２に示すように前面枠の施錠装置２５における各係止孔５８に遊技盤取付枠の施錠装置２４における各ロック片５３が係止して前面枠４が遊技盤取付枠３に施錠されている。また、この場合、撓み防止片８１は、その内側上端縁の係合凹部８８が遊技盤取付枠３の下部前面に突設された係止杆２３の凹溝８７に係合している。
【００３２】
よって、前記係止突部２２と施錠部材３２との係合面は鉛直でありかつ外枠１の開放側の内側面１ａとほぼ直交しており、しかも、この状態で例えば遊技盤取付枠３を無理に前方へ強く開こうとしても、その方向は各施錠部材３２の開錠方向とは直交し異なるため、各施錠部材３２に開錠しようとする力が働くことはなく係止突条２２に各施錠部材３２が係止されたままとなる。これにより、不正行為が防止される。
【００３３】
また、このとき撓み防止片８１は、引張りスプリング８６により内側先端部が上方へ付勢され、その先端部の係合凹部８８が遊技盤取付枠３の下部前面の係止杆２３に係合して前面枠４の中央部が前方へ撓むのを阻止している。これにより、前面枠４の中央部を前方へ無理に引っ張って行われる不正行為が防止される。例えば、遊技盤５の前面とその前面を覆う透明板保持枠１１の透明板１１ａ後面との間隔を広げ、遊技盤５面に装着される入賞装置９であって前側へ回動した開閉扉の前端縁と透明板１１ａとの隙間にパチンコ球が挟まって乗るようにしてしまい、逆に、その球荷重により一定条件を満たした後にも開閉扉が閉まらないようにている。これによって、多く入賞球を得るというものであるが、このような不正行為が防止される。
【００３４】
遊技盤取付枠３を開錠する場合は、パチンコ遊技機Ｐの前側からシリンダー錠１６の鍵穴部１７に鍵６０を差し込み、図１において右方向へ回動させる。これによって、図１３に示すように錠軸１６ａ後端のカム板６１が鎖線位置から実線位置へ下方へ回動し、下部可動部材６３を下降させる。同時に、引下杆４６と共に第一施錠杆２７がその付勢に抗して下降し、図１４（イ）、図１４（ロ）に示すように各押下突片４７が各受板３９を押し下げ、図１５鎖線に示すように各施錠部材３２を開錠方向へ回動させて係止突条２２からの係合を解く。これにより、遊技盤取付枠３が自在に開けられることになる。なお、この場合、前面枠４は施錠されたままとなっているので開けることはできない。
【００３５】
そして、遊技盤取付枠３を閉めて外枠１に施錠する場合は、鍵６０から手を離した状態で遊技盤取付枠３を後方へ押し込むことにより、図１６に示すように前傾斜面３６が係止突条２２の後傾斜面２２ａに擦れ合うようにして各施錠部材３２が回動し、図１１に示すように係止突条２２に係合する。よって、その係合が極めてスムーズに行なえる。しかも、外枠１が金属板により成形されると共にし係止突条２２も一体成型により成形され、しかも、平断面直角三角形をなすことから、係止突条２２が強固な構造となり、遊技板取付枠３に無理な前方ヘの引張り力が働いても曲がって屁たるといったことがない。
【００３６】
次に、前面枠４を開錠する場合は、前記のようにシリンダー錠１６の鍵穴部１７に鍵６０を差し込んだまま、今度は図１において左方向へ回動させる。これによって、図１７に示すようにカム板６１が鎖線位置から実線位置へ上方へ回動し、上部可動部材６２をその付勢に抗して上昇させる。そして、作動枠７１に保持される引上杆５５と共に第２施錠杆２８がその付勢に抗して上昇し、図１２鎖線に示すように各係止孔５８から各ロック片５３の係止が解かれる。同時に、上部可動部材６２における枝片６２ａの突片７３が撓み防止片８１の外側一端をその付勢に抗して押上げる。これに伴い、反対側が引下げられて係合凹部８８と係止杆２３との係合が解かれる。これにより、遊技盤取付枠３が自在に開けられることになる。
【００３７】
前面枠４を施錠する場合、該前面枠４を遊技盤取付枠３側へ押し込むと、各屈曲部５７の係止孔５８の下縁が各ロック片５３の下面の傾斜面に当接して該各ロック片５３をその付勢に抗して押し上げ、各係合後８が図１２実線に示すように各ロック片５３の係止段部５４に自動的に係合する。同時に、撓み防止片８１の係合凹部８８がその付勢に抗して係止杆２３の先端部２３ａの外周面に摺接しつつ図１０に示すように凹溝８７に係合する。これにより、前面枠４が施錠される。
【００３８】
なお、本発明では弾球遊技機としてパチンコ遊技機について説明したが、他に例えばアレンジボール機、パチスロ機、雀球機等の弾球遊技機であって、鍵機能により前面枠が開錠・施錠できるようにした遊技機に適用できる。
【図面の簡単な説明】
【００３９】
【図１】本発明が適用されるパチンコ遊技機の正面図。
【図２】同パチンコ遊技機の背面図。
【図３】外枠の一部の斜視図。
【図４】遊技盤取付枠側の施錠装置と前面枠の施錠装置の斜視図。
【図５】遊技盤取付枠の施錠装置の斜視図。
【図６】同分解斜視図。
【図７】同施錠部材部位の分解斜視図。
【図８】前面枠の施錠装置の斜視図。
【図９】同撓み防止片部位の分解斜視図。
【図１０】前面枠の一部の裏面図。
【図１１】パチンコ遊技機の施錠装置部位の平面断面図。
【図１２】同側面断面図。
【図１３】前面枠の一部の作用を示す裏面図。
【図１４】（イ）遊技盤取付枠の施錠部材部位の正面断面図、（ロ）同作用を示す施錠部材部位の正面断面図。
【図１５】遊技盤取付枠の施錠部材部位の裏面図。
【図１６】パチンコ遊技機の施錠装置部位の作用を示す平面断面図。
【図１７】前面枠の一部の作用を示す裏面図。
【符号の説明】
【００４０】
１          外枠
１ａ        内側面
２          ヒンジ機構
３          遊技盤取付枠
２２        係止突部（係止突条）
２２ａ      後傾斜面
３２        施錠部材
３６        前傾斜面
Ｐ          弾球遊技機（パチンコ遊技機）
【図１】
2006187428.tif 000003
【図２】
2006187428.tif 000004
【図３】
2006187428.tif 000005
【図４】
2006187428.tif 000006
【図５】
2006187428.tif 000007
【図６】
2006187428.tif 000008
【図７】
2006187428.tif 000009
【図８】
2006187428.tif 000010
【図９】
2006187428.tif 000011
【図１０】
2006187428.tif 000012
【図１１】
2006187428.tif 000013
【図１２】
2006187428.tif 000014
【図１３】
2006187428.tif 000015
【図１４】
2006187428.tif 000016
【図１５】
2006187428.tif 000017
【図１６】
2006187428.tif 000018
【図１７】
2006187428.tif 000019